【手続補正書】
【提出日】平成16年10月12日(2004.10.12)
【手続補正１】
【補正対象書類名】明細書
【補正対象項目名】特許請求の範囲
【補正方法】変更
【補正の内容】
【特許請求の範囲】
【請求項１】
被写界を撮像する撮像素子と、
前記撮像素子により撮像された画像のパターンを検出するパターン検出手段と、
前記パターン検出手段により検出された画像パターン情報を記憶する記憶手段と、
前記記憶手段へ画像パターンを記憶した後に前記撮像素子により撮像され、前記パターン検出手段により検出された画像パターンと、前記記憶手段に記憶されている画像パターンとを比較し、両者の比較結果に基づいて所定の動作を実行する制御手段とを備えることを特徴とするカメラ。
【請求項２】
請求項１に記載のカメラにおいて、
被写体距離を検出する測距手段を備え、
前記制御手段は、画像パターンの前記比較動作において不一致が検出されても前記測距手段による測距値が所定値以上変化した場合には、所定の動作を実行しないことを特徴とするカメラ。
【請求項３】
被写界を撮像する撮像素子と、
前記撮像素子により撮像された画像のパターンを検出するパターン検出手段と、
前記パターン検出手段により検出された画像パターン情報を記憶する記憶手段と、
前記記憶手段へ画像パターンを記憶した後に前記撮像素子により撮像され、前記パターン検出手段により検出された画像パターンと、前記記憶手段に記憶されている画像パターンとを比較する動作を繰り返し実行し、両画像パターンの不一致が所定回数検出されると所定の動作を実行する制御手段とを備えることを特徴とするカメラ。
【請求項４】
請求項３に記載のカメラにおいて、
被写体距離を検出する測距手段を備え、
前記制御手段は、画像パターンの前記比較動作において不一致が検出されても前記測距手段による測距値が所定値以上変化した場合には、不一致回数として計数しないことを特徴とするカメラ。
【請求項５】
請求項１〜４のいずれかの項に記載のカメラにおいて、
前記パターン検出手段は撮像画像の中央部の画像パターンを検出することを特徴とするカメラ。
【請求項６】
請求項１〜４のいずれかの項に記載のカメラにおいて、
前記パターン検出手段は撮像画像の最至近の被写体の画像パターンを検出することを特徴とするカメラ。
【請求項７】
請求項１〜６のいずれかの項に記載のカメラにおいて、
所定の動作は露光動作であることを特徴とするカメラ。
【請求項８】
請求項１〜６のいずれかの項に記載のカメラにおいて、
所定の動作は露出モードの切り換え動作であることを特徴とするカメラ。
【請求項９】
請求項１〜６のいずれかの項に記載のカメラにおいて、
所定の動作は測光モードの切り換え動作であることを特徴とするカメラ。
【請求項１０】
請求項１〜６のいずれかの項に記載のカメラにおいて、
所定の動作は合焦動作であることを特徴とするカメラ。
【請求項１１】
請求項１〜６のいずれかの項に記載のカメラにおいて、
所定の動作は測光処理動作であることを特徴とするカメラ。
【手続補正２】
【補正対象書類名】明細書
【補正対象項目名】０００１
【補正方法】変更
【補正の内容】
【０００１】
【発明の属する技術分野】
本発明は遠隔制御、パターン検出を行なうカメラに関する。
【手続補正３】
【補正対象書類名】明細書
【補正対象項目名】０００４
【補正方法】変更
【補正の内容】
【０００４】
本発明の目的は、被写体の動きを正確に検出して遠隔制御、所定の動作を行なうカメラを提供することにある。
【手続補正４】
【補正対象書類名】明細書
【補正対象項目名】０００５
【補正方法】変更
【補正の内容】
【０００５】
【課題を解決するための手段】
（１）  請求項１の発明は、被写界を撮像する撮像素子と、撮像素子により撮像された画像のパターンを検出するパターン検出手段と、パターン検出手段により検出された画像パターン情報を記憶する記憶手段と、記憶手段へ画像パターンを記憶した後に撮像素子により撮像され、パターン検出手段により検出された画像パターンと、記憶手段に記憶されている画像パターンとを比較し、両者の比較結果に基づいて所定の動作を実行する制御手段とを備える。
（２）  請求項２のカメラは、被写体距離を検出する測距手段を備え、制御手段によって、画像パターンの比較動作において不一致が検出されても測距手段による測距値が所定値以上変化した場合には、所定の動作を実行しないようにしたものである。
（３）  請求項３の発明は、被写界を撮像する撮像素子と、撮像素子により撮像された画像のパターンを検出するパターン検出手段と、パターン検出手段により検出された画像パターン情報を記憶する記憶手段と、記憶手段へ画像パターンを記憶した後に撮像素子により撮像され、パターン検出手段により検出された画像パターンと、記憶手段に記憶されている画像パターンとを比較する動作を繰り返し実行し、両画像パターンの不一致が所定回数検出されると所定の動作を実行する制御手段とを備える。
（４）  請求項４のカメラは、被写体距離を検出する測距手段を備え、制御手段によって、画像パターンの比較動作において不一致が検出されても測距手段による測距値が所定値以上変化した場合には、不一致回数として計数しないようにしたものである。
（５）  請求項５のカメラは、パターン検出手段によって撮像画像の中央部の画像パターンを検出するようにしたものである。
（６）  請求項６のカメラは、パターン検出手段によって撮像画像の最至近の被写体の画像パターンを検出するようにしたものである。
（７）  請求項７のカメラは、所定の動作を露光動作としたものである。
（８）  請求項８のカメラは、所定の動作を露出モードの切り換え動作としたものである。
（９）  請求項９のカメラは、所定の動作を測光モードの切り換え動作としたものである。
（１０）  請求項１０のカメラは、所定の動作を合焦動作としたものである。
（１１）  請求項１１のカメラは、所定の動作を測光処理動作としたものである。
【手続補正５】
【補正対象書類名】明細書
【補正対象項目名】００２２
【補正方法】変更
【補正の内容】
【００２２】
【発明の効果】
（１）  以上説明したように請求項１の発明によれば、被写界を撮像した画像のパターンを検出して記憶するとともに、その後に被写界を撮像して画像のパターンを検出し、後に検出した画像パターンと記憶されている画像パターンとを比較して両画像パターンの比較結果に基づいて所定の動作を実行するようにしたので、被写体が撮影画面に平行に動いて撮影距離と被写体輝度の変化がなくても、被写体の動きを正確に検出することができる。
（２）  請求項２の発明によれば、画像パターンの比較動作で不一致が検出されても被写体測距の測定値が所定値以上変化した場合には、所定の動作を実行しないようにしたので、主要被写体の前に物体が侵入して画像パターンが変化しても、測距値の変化により物体の侵入が検出され、誤って露光動作を実行することが避けられる。
（３）  請求項３の発明によれば、被写界を撮像した画像のパターンを検出して記憶するとともに、その後に被写界を撮像して画像のパターンを検出し、後に検出した画像パターンと記憶されている画像パターンとを比較する動作を繰り返し実行し、両画像パターンの不一致が所定回数検出されると所定の動作を実行するようにしたので、請求項１の効果に加え、被写体の撮影意志を確実に検知して誤判定を防止することができる。また、撮影者自身がリモートスイッチを操作してリモートモードを設定した後、カメラの前に移動して被写体になっても、誤って直ちに露光動作が実行されることがない。
（４）  請求項４の発明によれば、画像パターンの比較動作で不一致が検出されても被写体測距の測定値が所定値以上変化した場合には、不一致回数として計数しないようにしたので、主要被写体の前に物体が侵入して画像パターンが変化しても、測距値の変化により物体の侵入が検出され、誤って露光動作を実行することが避けられる。
（５）  請求項５の発明によれば、撮像画像の中央部の画像パターンを検出するようにした。通常、画面の中央部には主要被写体が存在することが多いので、主要被写体の動きを検出する確立が高くなる。
（６）  請求項６の発明によれば、撮像画像の最至近の被写体の画像パターンを検出するようにした。最至近の被写体も主要被写体である場合が多いので、主要被写体の動きを検出する確立が高くなる。